(57)【要約】      （修正有）【課題】書類を綴じ込むファイルで、書類の綴じ込み取り出しをワンタッチ操作で出来る止め具を具備したファイルを提供する。【解決手段】書類Ａを綴じ込むファイルにおいて、ファイル表紙Ｂは背部Ｃの２辺の折り曲げ部Ｄの１辺折り返し部Ｅに設けた２個の綴じ孔Ｆに突き出る軟質樹脂材の帯状で成るバンド体１の片方端子面に設けた止め孔２と、他方端子面に設けた突起３等で、双方の端子同志を着脱自在で成る結合体４構成にする。又、前記バンド体１が２本で成り、夫々の根元端子面に突起部６を設け、これらが背部Ｃの折り返し部Ｅの両端部に開口した係合孔５に着脱自在で、順次端側から内方ａに向け移動することで、夫々の止めバンド１が綴じ孔Ｆから付き出る長さの延長に依って、書類Ａの部厚い綴じ込みを可能にし、且つ背部Ｃの拡大の為め、第２折り曲げ部ＤＤをファイル表紙Ｂに追加した構成とする。【選択図】図１
0003126552.tif 000002
【実用新案登録請求の範囲】
【請求項１】
書類を綴じ込むファイルにおいて、ファイル表紙は背部の２辺の折り曲げ部の１辺折り返し部に設けた２個の綴じ孔に突き出る軟質樹脂材の帯状で成るバンド体の片方端子面に設けた止め孔と、他方端子面に設けた突起等で、双方の端子同志を着脱自在で成る結合体構成にしたことを特徴とする、ワンタッチ止め具ファイル。
【請求項２】
前記するバンド体が２本で成り、夫々の根元端子面に突起部を設け、これらが背部の折り返し部の両端部に開口した係合孔に着脱自在で、順次端側から内方に向け移動することで、夫々の止めバンドが綴じ孔から付き出る長さの延長に依って、書類の部厚い綴じ込みを可能にし、且つ背部の拡大の為め、第２折り曲げ部をファイル表紙に追加したことを特徴とする、請求項１記載のワンタッチ止め具ファイル。
【請求項３】
前記する書類の部厚い綴じ込みでの、背部の巾拡大でのファイル表紙の縮小を補う為の、伸縮自在でなる第２表紙をファイル表紙の裏面に接合したことを特徴とする、請求項２記載のワンタッチ止め具ファイル。
【請求項４】
書類を綴じ込むファイルにおいて、ファイル表紙は背部の２辺の折り曲げ部の１辺折り返し部に設けた２個の綴じ孔に突き出る綴じ部材を屈曲自在で成る密着巻きコイルスプリングにし、これらの双方の端子を中継する個別で反発性樹脂成形品でのロックキャップ体を着脱自在に覆い被せる結合体構成とし、これらのロックキャップ体の内径は、コイルスプリング外形の螺旋状に整合嵌め合い着脱自在のメス螺旋状にしたことを特徴とする、ワンタッチ止め具ファイル。
【考案の詳細な説明】
【技術分野】
【０００１】  この考案は書類等を綴じるのに使うスライド止めファイルの書類綴じ部の改良に関する。
【背景技術】
【０００２】  この種の従来の技術として一般的に知られるスライド止めファイルは、図１５で示す様に厚紙或いは樹脂シート材等で成る、ファイル表紙Ｂは背部Ｃの２辺の折り曲げ部Ｄの書類Ａの下敷きとなる折り返し部Ｅに設けた２個の綴じ孔Ｆから突き出る軟質樹脂材の帯状で成る、バンド体１の双方の端子に出し入れ自在の止め板２０２が、２本のバンド１に差し込まれた書類Ａの上面に押し当てられ、細長い止め板２０２の両長辺のスリット２０５に挟み込まれて左右にスライドする、２個のスライダー２０３を外方に向け（矢印方向））押し圧を掛け移動させ、２本のバンド１を止め板２０２とスライダー２０３の間に挟み込みホールドする事で、書類Ａを折り返し部Ｅ面とスライダー２０３の間に綴じ込む構成である。【０００３】  そして、これらのスライド止めファイルの書類Ａの次ぎ足しや、取り出しの繰り返し操作は２本のバンド１の夫々を、書類Ａに開口するパンチ孔を通して、其の後に２個のスライダー２０３付きの細長い止め板２０２に開口する孔２０４にバンド１が貫通され、スライダー２０３の移動に依ってバンド１が９０度に折り曲げられ、止め板２０２とスライダー２０３の間に固く挟着され、書類Ａはバラケル事なくホールドされる。
【考案の開示】
【考案が解決しようとする課題】
【０００４】  しかしながら、上記す従来技術の場合は、軟質樹脂材の２本のバンド体１は書類綴じに依って、９０度折り曲げられたまま、常時止め板２０２とスライダー２０３の間に固く挟着される為、次ぎ足す書類Ａをバンド体１に差し込むのに、バンド体１の曲げクセが付いたままになっている為、曲げクセを直しながら使わなければならなという課題が有る。【０００５】  そっして又、止め板２０２とスライダー２０３の間の隙にバンド体１を挟み込む構成の為、バンド体１の厚みのバラッキに具合で、スライダー２０３の滑りが弱い時はスライダー２０３ががたつき、滑りが固い時は必要以上に過剰な操作力を強いられ、指先を痛める等の課題が残る。
【課題を解決するための手段】
【０００６】  この考案は，かかる課題を解決する為に，請求項１での考案は図１、図２、図５、図６で夫々述べるように、書類Ａを綴じこむファイルで、ファイル表紙Ｂは背部Ｃの２辺の折り曲げ部Ｄの１辺折り返し部Ｅに設けた２個の綴じ孔Ｆに突き出る軟質樹脂材の帯状で成るバンド体１の片方端子面に設けた止め孔２と、他方端子に設けた突起３等で、双方の端子同志を着脱自在で成る係合体４構成とする【０００７】  次ぎに請求項２での考案は、図３、図４、図７、図８で夫々述べるように前記するバンド体１が２本で成り、夫々の根元端子面に突起部６を設け、これらが背部Ｃの折り返し部Ｅにの両端部に開口する係合孔５に着脱自在で、順次端部から内方に向け移動することで、夫々の止めバンド１が綴じ孔Ｆから突き出る長さの延長に依って、書類Ａの部厚い綴じ込みを可能にし、且つ背面の拡大の為、第２折り曲げ部ＤＤをファイル表紙Ｂ２に追加出来る構成にする。【０００８】  次ぎに請求項３での考案は、図１３、図１４、で夫々述べるように、前記する書類Ａの部厚い綴じ込みでの、背部Ｃ巾の拡大に伴うファイル表紙Ｂの短縮を補う為の、伸縮自在で成る第２表紙ＢＢをファイル表紙Ｂの裏面に接合した構成とする。【０００９】  次ぎに請求項４での考案は、図１１で述べるようにファイル表紙Ｂ背部Ｃの２辺折り曲げ部Ｄの折り返し部Ｅに設けた２個の綴じ孔Ｆに突き出る綴じ部材を屈曲自在で成る密着巻きコイルスプリング７にし、これらの双方の端子を中継する反発性樹脂成形品でのロックキャップ体８を着脱自在に覆い被せる結合体４構成とし、これらのロックキャップ体８の内径は、コイルスプリング７外形の螺旋状に整合嵌め合い着脱自在のメス螺旋状８ａの構成にする。
【考案の効果】
【００１０】  本考案は上述の通り構成作用するので次の優れた効果を奏する。即ち請求項１での考案は、書類Ａの綴じ込みと抜き取り操作は、ファイル表紙Ｂの２個の綴じ孔Ｆから突き出る屈曲自在で成る片方のバンド体１の止め孔２と、其れに係合する他方のバンド体１の突起３との着脱操作だけで、書類綴じの出来るワンタッチ止め具ファイルを提供出来る。【００１１】  次ぎに請求項２での考案は、一冊のファイルを使って増える書類Ａを次々に積み上げ、ファイル表紙Ｂ背部Ｃを巾広くし、且つバンド体１の綴じ部長さを伸長自在に調整の出来るワンタッチ止め具ファイルを提供出来る・【００１２】  更に請求項３での考案は、一冊のファイルを使って増える書類Ａを綴じ込んだ時に、ファイル表紙Ｂのサイズを伸長自在に調整の出来る、ワンタッチ止め具を提供出来る。【００１３】  そして又請求項４での考案は、ファイル表紙Ｂの２個の綴じ孔Ｆから突き出る綴じ部材を密着巻きでのコイルスプリング７構成とし、これらはスプリングの持つ復元力が書類Ａ綴じ込み時は、常時綴じ孔Ｆに自立する事で、書類Ａの２個のパンチ孔に同時差し込みの出来る、ワンタッチ止め具を提供出来る。
【考案を実施するための最良の形態】
【００１４】  以下図示の実施例に基づき更に詳細に説明する。即ち図１は本考案での第一実施例での要部での斜視図で、更に図２は使用例を示す斜視図で、図５、図６は書類Ａを綴じ込み形態での側面図を示す第一実施例で、更に図９、図１０、は他の実施例での要部斜視図を示し、更に図１２（ａ）、（ｂ）は他の実施例での要部側面断面図を示すもので、ここで図１、図２、図５、図６にて詳細に説明するが、これらは厚手の紙或いは合成樹脂シート材で成る一枚のファイル表紙Ｂは２辺の折り曲げ部Ｄを中間に設け、開閉自在に折り畳まれるが、これらの１辺の折り曲げ部Ｄは、折り返し部Ｅにて，これらに固定して成る２個の開口する綴じ孔Ｆから突き出る軟質樹脂材に帯び状で成るバンド体１は、その片方のバンド体１の端子面に幾つかの止め孔２が開口して成り、他方のバンド体１の端子面には、突起３が一体化し、前記する止め孔２に着脱自在に係合でなる結合体４を構成する。【００１５】  そしてこれらの結合体４での止め孔２の差し込まれる突起３は、差し込み易く且つ取れ難いくびれた突起３にした形状が望まれ、閉じ込む書類Ａが増やしていくたびに止め孔２は先端に向け、１個ずつずらして係合することになるが、双方のバンド体１の先端を夫々指先で摘んで差し込みと取り外しが行われる。【００１６】  次ぎに同じく本考案での第一実施例で、他の構成での実施例を図９で示す様に片方のバンド体１の端子面に等間隔で成る凸状１ｂと、其の側面の一部にコノ字形状で成るガード１ｃを設け、他方のバンド体１の端子面は、前記凸状１ｂに整合し固めに係合自在で成る凹状１ａを設け、夫々が着脱自在にガード１ｃを介し、係合でなる係合体４を構成する。【００１７】  次ぎに同じく本考案での第一実施例で、他の構成での実施例を図１０で示す様に片方のバンド体１の端子部にオスネジ状１０ｂの螺旋を設け、片方のバンド体１の端子部には其のオスネジ状１０ｂに整合し固めに整合自在で成るメスネジ状１０ａを内径に切り込んだクリップ性で半円形の合成樹脂成形品でなるクリップ１０ｄとの、双方が整合し固めに係合自在で成る、係合体４を構成する。【００１８】  次ぎに又同じく本考案での第一実施例で、他の構成での実施例を図１２（ａ），（ｂ）で示す様に双方のバンド体１の端子部に鍵状での突起３を設け、夫々が整合し固めに引っ掛け合って係合でなる係合体４を構成することで、ワンタッチ止め具の目的を具現化している。【００１９】  次ぎに図３は本考案での第二実施例での綴じ孔Ｆに突き出すバンド体１の綴じ部長さを最も短い形態での斜視図で、更に図４は綴じ孔Ｆにバンド体１の綴じ部長さを最も長く綴じ孔Ｆに突き出しての斜視図で、且つこれらの書類Ａの部厚く増やすのにファイル表紙Ｂ背部Ｃの２本の折り曲げ部Ｄを巾広にする為の第２折り曲げ部ＤＤを追加することで、一冊のファイルを使って、薄綴じと厚綴じの両用使い構成にし、綴じ込み書類Ａの増やし加減で背部Ｃとバンド体１の綴じ部長さの調整を自在にしている。これらの綴じ部バンド体１の長さの調整は、ファイル表紙Ｂの折り返し部Ｅの両サイに開口する幾つかの係合孔５に、バンド体１の夫々の根元端子面に一体化する突起部６とが固めに着脱自在に差し込み自在に固着する構成としている。又図１３は同じく第二実施例を示す全体斜視図で、ファイル表紙Ｂ面の背部Ｃに厚綴じでの、巾の拡大の為の第二折り曲げ部ＤＤが設定される。【００２０】  次ぎに図１４は本考案での第三実施例での全体を示す斜視図で、書類Ａ綴じの薄綴じから厚綴じにする事でファイル表紙Ｂの背部Ｃを巾広に第二折り曲げ部ＤＤを曲げることで、ファイル表紙Ｂの端部が縮小し、書類Ａの端が露出する事に成るが、これらの縮小を補う為に、伸縮自在で成る第２表紙ＢＢをファイル表紙Ｂの裏面に接合し、背部Ｃの巾広調整に準じて第２表紙ＢＢの伸長に調整を容易に出来る構成とする。【００２１】  又次ぎに図１１は本考案での第四実施例での要部斜視図で、ファイル表紙Ｂは背部Ｃの２辺の折り曲げ部Ｄの１辺折り返し部Ｅに設けた２個の綴じ孔Ｆに突き出る綴じ部材を屈曲自在で成る密着巻き金属コイルスプリング７構成にし、これらの双方の端子を中継する為のロックキャツプ体８が着脱自在に嵌め込み、双方を離れる事無く接続するが、これらのロックキャップ体８は反発性樹脂成形品で、コイルスプリング７に整合する螺旋状をその内面に切り込み、綴じ孔Ｆに直立でなるコイルスプリング７に書類Ａを差し込み、夫々の端子を内側に折り曲げ、双方が離れないように、スナップの効いたキヤップ体８を差し込み被せ、双方の端子を包み込み相互の螺旋同志が噛み合い結合可能な構成とする。
【図面の簡単な説明】
【００２２】
【図１】  本考案に係わる第一実施例での要部を示す斜視図である
【図２】  第一実施例での使用例での要部を示す斜視図である
【図３】  本考案に係わる第二実施例での要部を示す斜視図である
【図４】  本考案に係わる第二実施例での使用例で要部を示す斜視図である
【図５】  本考案に係わる第一実施例で使用例での薄綴じでの側面図である
【図６】  本考案に係わる第一実施例で使用例での厚綴じでの側面図である
【図７】  本考案に係わる第二実施例で薄綴じ使用例での側面図である
【図８】  本考案に係わる第二実施例で厚綴じ使用例での側面図である
【図９】  本考案に係わる第一実施例で他の構成での要部を示す斜視図である
【図１０】  本考案に係わる第一実施例で他の構成での腰部を示す斜視図である
【図１１】  本考案に係わる第四実施例での要部を示す斜視図である
【図１２】  図中（ａ），（ｂ）とも本考案に係わる第一実施例で他の構成での要部を示す斜視図である
【図１３】  本考案に係わる第二実施例での全体を示す斜視図である
【図１４】  本考案に係わる第三実施例での全体を示す斜視図である
【図１５】  従来技術での全体を示す斜視図である
【符号の説明】
【００２３】  １  バンド体
２  止め孔
３  突起
４  結合体
５  係合孔
６  突起部
７  コイルスプリング
８  ロックキャップ体
Ａ  書類
Ｂ  ファイル表紙
Ｃ  背部
Ｄ  折り曲げ部
Ｅ  折り返し部
Ｆ  綴じ孔
【図１】
0003126552.tif 000003
【図２】
0003126552.tif 000004
【図３】
0003126552.tif 000005
【図４】
0003126552.tif 000006
【図５】
0003126552.tif 000007
【図６】
0003126552.tif 000008
【図７】
0003126552.tif 000009
【図８】
0003126552.tif 000010
【図９】
0003126552.tif 000011
【図１０】
0003126552.tif 000012
【図１１】
0003126552.tif 000013
【図１２】
0003126552.tif 000014
【図１３】
0003126552.tif 000015
【図１４】
0003126552.tif 000016
【図１５】
0003126552.tif 000017